Podtech/llm-jp-corpus-v4-ja_patent huggingface dataset:
(57)【要約】【課題】湿式デュアルクラッチパック内で発生する引き摺りトルクを低減させる構造を提供すること。【解決手段】第１、第２の湿式多板クラッチＫ１，Ｋ２が同心で径方向に配置された湿式デュアルクラッチ１０において、径方向外側の第１クラッチＫ１の第１ハブ１０４の径方向に延びる側面１０６及び／又は径方向内側の第２クラッチＫ２の第２ハブ２０４の径方向に延びる側面２０６に、径方向に、溝１０６ａ，２０６ａを設けて、循環する冷却用油の排出性能を向上させることにより、引き摺りトルクを低減するようにした。【選択図】図１
0003124478.tif 000002
【実用新案登録請求の範囲】
【請求項１】
第１、第２の湿式多板クラッチＫ１、Ｋ２が同心で径方向に配置された湿式デュアルクラッチにおいて、
径方向外側の第１クラッチＫ１の第１ハブの径方向に延びる側面及び／又は径方向内側の第２クラッチＫ２の第２ハブの径方向に延びる側面に径方向に溝を設けたことを特徴とする、
湿式デュアルクラッチパックの引き摺りトルク低減構造。
【考案の詳細な説明】
【技術分野】
【０００１】
本考案は、車両用変速機等に用いられる湿式デュアルクラッチパックの引き摺りトルク低減構造に関する。
【背景技術】
【０００２】
従来の湿式デュアルクラッチパックの構造として、図１に示すような、第１、第２の湿式多板クラッチＫ１，Ｋ２が同心で径方向に配置された、特許文献１、特許文献２の構成部品収納構造を適用した湿式デュアルクラッチパック１０がある。
【特許文献１】特開２００４−５３０２０号公報
【特許文献２】特開２００４−１６９９１７号公報
【考案の開示】
【考案が解決しようとする課題】
【０００３】
図１の湿式デュアルクラッチパック１０では、段付きカップ形状のリアカバー１００の右端部で、フロントカバー２００の外周側がスナップリング３００を介してリアカバー１００と互いに軸方向に開かないように固定されている。
ピストン１０２で作動させられる第１クラッチＫ１は、径方向外側に、ピストン２０２で作動させられる第２クラッチＫ２は、内側ドラム２０１の中、すなわち、径方向内側に、それぞれ配置されている。
【０００４】
図１の湿式デュアルクラッチパック１０では、トルク伝達経路は図２のようになる。
まず、Ｋ１トルク伝達は、図２(a)のように、Ｋ１トルク入力→フロントカバ ー２００→リアカバー１００→第１ハブ１０４→Ｋ１トルク出力という経路になる。
次に、Ｋ２トルク伝達は、図２(b)のように、Ｋ２トルク入力→フロントカバ ー２００→リアカバー１００→内側ドラム２０１→第２ハブ２０４→Ｋ２トルク出力という経路になる。
【０００５】
湿式デュアルクラッチパックでは、使用する２種類のクラッチに応じて、このように、異なるトルク伝達経路が得られるので、トルクコンバータを使用することなく、ギアの切換えのみで、発進から、複数の変速が可能となる特徴がある。
【０００６】
ところで、湿式デュアルクラッチパックでは、第１、第２の湿式多板クラッチＫ１，Ｋ２の摩擦係合部における発熱に対応するため、一般に、ポンプで、潤滑油を湿式デュアルクラッチパックの軸芯位置に送り込み、遠心力で径方向に流通させ、それを回収して、循環させる冷却構造を採用している。
【０００７】
上記のとおり、湿式デュアルクラッチパック内では、冷却用潤滑油が循環しているので、狭い間隔をおいて相対的に回転する２つの部材の間では、油の剪断力に起因して、いわゆる、「引き摺りトルク」が発生する。「引き摺りトルク」は貴重な駆動力を、無駄な熱エネルギーとして浪費するだけであるから、極力、排除すべきものである。
【０００８】
前記「狭い間隔をおいて相対的に回転する２つの部材」として、図１において問題となるのは、図１に点の集合で示した２つの箇所であり、第１に、径方向外側の第１クラッチＫ１の第１ハブ１０４の径方向に延びる側面１０６とフロントカバー２００との間であり、第２に、径方向内側の第２クラッチＫ２の第２ハブ２０４の径方向に延びる側面２０６と第１ハブ１０４の径方向に延びる側壁１０８との間である。
【課題を解決するための手段】
【０００９】
本考案は、第１、第２の湿式多板クラッチＫ１，Ｋ２が同心で径方向に配置された湿式デュアルクラッチにおいて、
径方向外側の第１クラッチＫ１の第１ハブの径方向に延びる側面及び／又は径方向内側の第２クラッチＫ２の第２ハブの径方向に延びる側面に径方向に溝を設けたことを特徴とする湿式デュアルクラッチパックの引き摺りトルク低減構造により前記課題を解決した。
【考案の効果】
【００１０】
本考案によれば、前記箇所に径方向に設けた溝により、循環する冷却用油の排出性能を向上させることできるから、前記箇所において従来発生していた「引き摺りトルク」を低減させることができる。
【考案を実施するための最良の形態】
【００１１】
以下、図３、４を参照して、本考案の実施形態を説明する。なお、図３は第１ハブ１０４の右側面図、図４は第２ハブ２０４の右側面図である、
【００１２】
本考案では、図３及び図４に示すように、第１クラッチＫ１の第１ハブ１０４の径方向に延びる側面１０６及び／又は第２クラッチＫ２の第２ハブ２０４の径方向に延びる側面２０６に、径方向に、溝１０６ａ又は２０６ａを設けた。この溝の数は限定されないが、図３及び図４では、円周方向に４５度おきに、全部で８個設けた場合を示した。
【００１３】
このような潤滑油を通すための溝１０６ａ又は２０６ａを設けたことにより、従来は図１のように、狭い空間に押し込まれるだけであった冷却用潤滑油が、径方向外側に排出され易くなる。その結果、湿式デュアルクラッチパックにおける、第１ハブとフロントカバーの間、及び／又は第１ハブと第２ハブの間の引き摺りトルクを低減させることができる。
【００１４】
なお、本考案は、従来の湿式デュアルクラッチパックの第１ハブ１０４の一部である径方向の側面１０６又は第２ハブ２０４の径方向の側面２０６に溝を形成するだけで実施できるので、従来の湿式デュアルクラッチパックの基本構造を変えることなく実施することができる。
【図面の簡単な説明】
【００１５】
【図１】従来、及び本考案を適用した湿式デュアルクラッチパックの軸方向断面図。
【図２】図１の場合のトルク伝達経路を示した図で、(a) はＫ１トルクの伝達経路、(b)はＫ２トルクの伝達経路。
【図３】本考案を適用した第１ハブの右側面図。
【図４】本考案を適用した第２ハブの右側面図。
【符号の説明】
【００１６】
１０：  湿式デュアルクラッチパック
１０４：  第１ハブ
１０６：  径方向に延びる側面
１０６ａ：溝
２０４：  第２ハブ
２０６：  径方向に延びる側面
２０６ａ  溝
Ｋ１：  第１クラッチ
Ｋ２：  第２クラッチ
【図１】
0003124478.tif 000003
【図２】
0003124478.tif 000004
【図３】
0003124478.tif 000005
【図４】
0003124478.tif 000006
(57)【要約】【課題】  本考案は、写真立てに関するもので、写真立ての不使用時と使用時における利便性を高めることを目的とする。【解決手段】  本考案は、スタンドの背面板部２の適所に適当長さと巾と深さから成る凹溝３を設け、この凹溝内に基端部の軸部６を介して起伏し得るように成る脚片４を設け、この脚片の基端部の位置する凹溝の最奥部の底面部に設けた深溝部７に前記脚片の起立時に下動して基端部が嵌合し得るようにし、この脚片の倒伏時に前記背面板部と平行状態に形成して成るものである。【選択図】    図４
0003124448.tif 000002
【実用新案登録請求の範囲】
【請求項１】
スタンドの背面板部の適所に適当長さと巾と深さから成る凹溝を設け、この凹溝内に基端部の軸部を介して起伏し得るように成る脚片を設け、この脚片の基端部の位置する凹溝の最奥部の底面部に設けた深溝部に前記脚片の起立時に下動して基端部が嵌合し得るようにし、この脚片の倒伏時に前記背面板部と平行状態に形成して成ることを特徴とする写真立て。
【考案の詳細な説明】
【技術分野】
【０００１】
本考案は、写真立てに関するものである。
【背景技術】
【０００２】
従来から存する木製，合成樹脂製，金属製のフレーム本体には、写真を内部に配置した後に固定する背面板の外部に脚部がヒンジを介して起立するように成るものが普及しているが、これでは包装や梱包に不便であったり、壁掛け状態にすることができなかったり等の欠点があった。
【０００３】
このような欠点を解消しようとして、例えば次のような考案が知られている。
【０００４】
【特許文献１】実公昭６０−１３４２３号公報
【特許文献２】実公平１−２６２９３号公報
【特許文献３】実開平１−１５８７７１号公報
【考案の開示】
【考案が解決しようとする課題】
【０００５】
しかしながら、簡便性や実用性の面では欠けるものがあったことに鑑み、本考案は、これらの欠点を解消した簡便かつ実用的な写真立てを提供することを目的とするものである。
【課題を解決するための手段】
【０００６】
本考案は、スタンドの背面板部の適所に適当長さと巾と深さから成る凹溝を設け、この凹溝内に基端部の軸部を介して起伏し得るように成る脚片を設け、この脚片の基端部の位置する凹溝の最奥部の底面部に設けた深溝部に前記脚片の起立時に下動して基端部が嵌合し得るようにし、この脚片の倒伏時に前記背面板部と平行状態に形成して成るものである。
【考案の効果】
【０００７】
本考案はこのような構成から成るものであるため、次の効果を発揮することができる。
【０００８】
第１に、脚片は写真立ての背面板部の表面から外部に突出起立して確実に固定されたり、内部に倒伏して確実に閉じたりすることができるものであるから、使用者にとっては写真立てを自由に使用することができるようになり、利便性が高いものである。
【０００９】
第２に、脚片の起立及び倒伏の操作はきわめて簡単であるから、これも利便性が高い。
【考案を実施するための最良の形態】
【００１０】
いま人は任意の写真を内部に配置した後に、これを卓上に立てておきたいときは、背面板の凹溝内に倒伏している脚片を、その先端部に指掛けしてこれを外出しようとすると、その基端軸部を介して脚片は直角方向に開くようになるから、脚片をそのまま下動すれば、その基端軸部が下方移動して基端部は凹溝の深溝部に嵌合し、これによって脚片は固定されるから、写真立てはこの脚片を介して卓上に立つようになる。
【００１１】
この場合、脚片が隣接して直角方向に複数設けられているものにあっては、左右両方向に開いて立つようになる。
【００１２】
また、この写真立てを壁掛け状態に使用したいときは、全部の脚片を凹溝内に倒伏して閉口状態にした後、吊孔部に任意の紐を掛け止めて吊すようにすればよい。
【実施例】
【００１３】
１は写真スタンドの表面部で、ガラス板などが設置されている。
【００１４】
２は写真スタンドの背面板部で、この背面板部の適所には適当長さと巾と深さから成る凹溝３を設ける。この凹溝数は１個でも複数個でもよい。
【００１５】
４は前記凹溝３内に基端部に設けた両長孔５，５間に架設した軸部６を介して上下方向及び起伏方向に作動し得るように設けて成る脚片で、この脚片の形状は任意であるが、凹溝内への脚片の倒状時には脚片が完全に凹溝内に閉じて背面板部２と平行に成る。
【００１６】
７は前記凹溝３の最奥部に設けた深溝部で、この深溝部には前記脚片４の起立時にその基端部が嵌合して固定するようになる。
【００１７】
８は前記脚片４の先端部分に近い凹溝３の一側部に設けた副溝で、この副溝に指先などを挿入し脚片の先端部分に掛けて起立するようにする。
【００１８】
９，９はスタンド背面板部２の適所に設けた吊孔部で、この吊孔部には任意の紐などを掛けて吊るようにする。
【図面の簡単な説明】
【００１９】
【図１】一実施例の一使用時の斜視図
【図２】図１の他使用時の斜視図
【図３】図２Ａ−Ａ線部の作用状態を示し、（ａ）は脚片の起立時の拡大断面図、(ｂ)は脚片の固定時の拡大断面図
【図４】他実施例の一部切欠斜視図
【図５】要部の正断面図
【符号の説明】
【００２０】
１                    表面部
２                    背面板部
３                    凹溝
４                    脚片
５，５                長孔
６                    軸部
７                    深溝部
８                    副溝
９，９                吊孔部
【図１】
0003124448.tif 000003
【図２】
0003124448.tif 000004
【図３】
0003124448.tif 000005
【図４】
0003124448.tif 000006
【図５】
0003124448.tif 000007
(57)【要約】【課題】  この考案は仏器の装着が誰でも容易に出来、且つ、仏器差し具を傾けても落下せず、且つ、軽量で安価な落下防止付仏器差し具を開発・提供する事にある。【解決手段】  所定長さを有する差し棒と、差し棒の先端部に仏器を差し込み装着可能な装着部と、差し棒の末端部に設けた係止用紐等の通し穴付取手部から成り、且つ、該装着部はほぼＵ字状の切り欠き部と、切り欠き部の左右先端表面部に仏器の落下防止用ストッパーを固着して設け、且つ、使用時は、ご飯を入れた仏器を差し棒の先端に設けたストッパー付切り欠き部に装着してお供えするものである。【選択図】  図５
0003124406.tif 000002
【実用新案登録請求の範囲】
【請求項１】
仏壇にご飯を入れてお供えする仏器の差し具であって、該仏器差し具（１）は、所定長さ（Ｌ）を有する差し棒（１ａ）と、差し棒（１ａ）の先端部に仏器（Ｃ）を差し込み装着可能な装着部と、差し棒（１ａ）の末端部に設けた係止用紐等の通し穴（１ｃ）付取手部から成り、且つ、該装着部はほぼＵ字状の切り欠き部（１ｄ）と、切り欠き部（１ｄ）の左右先端表面部に仏器（Ｃ）の落下防止用ストッパー（１ｂ）（１ｂ）をそれぞれ固着して設け、且つ、使用時は、ご飯を入れた仏器（Ｃ）を差し棒（１ａ）の先端に設けたストッパー付切り欠き部（１ｄ）に装着してお供えする事を特徴とする落下防止付仏器差し具。
【考案の詳細な説明】
【技術分野】
【０００１】
この考案は、落下防止付仏器差し具に関するものである。
【背景技術】
【０００２】
従来の木製仏器差しは、ご飯を入れた仏器を仏壇にお供えする際、仏器差しの先端部を下向きに傾けると、仏器が滑り落ちて仏壇を損傷させる等の構造上の問題があった。
【０００３】
そこで、これまでに出願されている仏器差しの特許文献を参考の為、紹介する。
【特許文献１】特開２０００−１１６４９９
【考案の開示】
【考案が解決しようとする課題】
【０００４】
そこで、上記課題を解決する為に、この考案は仏器の装着が誰でも容易に出来、且つ、仏器差し具を傾けても落下せず、且つ、軽量で安価な落下防止付仏器差し具を開発・提供する事にある。
【課題を解決するための手段】
【０００５】
この課題を解決する為の手段として、所定長さを有する差し棒と、差し棒の先端部に仏器を差し込み装着可能な装着部と、差し棒の末端部に設けた係止用紐等の通し穴付取手部から成り、且つ、該装着部はほぼＵ字状の切り欠き部と、切り欠き部の左右先端表面部に仏器の落下防止用ストッパーをそれぞれ固着して設け、且つ、使用時は、ご飯を入れた仏器を差し棒の先端に設けたストッパー付切り欠き部に装着してお供えするものである。
【考案の効果】
【０００６】
この考案の効果として、所定長さを有する差し棒と、差し棒の先端部に仏器を差し込み装着可能な装着部と、差し棒の末端部に設けた係止用紐等の通し穴付取手部から成り、且つ、該装着部はほぼＵ字状の切り欠き部と、切り欠き部の左右先端表面部に仏器の落下防止用ストッパーをそれぞれ固着して設け、且つ、使用時は、ご飯を入れた仏器を差し棒の先端に設けたストッパー付切り欠き部に装着してお供えする事で、仏器の装着が誰でも容易に出来、且つ、仏器差し具を傾けても落下せず、且つ、軽量で安価である等、極めて有益なる効果を奏するものである。
【考案を実施するための最良の形態】
【０００７】
この考案の最良の形態として、まず、仏器差しの材質及び形状は軽量・安価で見栄えが良く、強度が確保出来るものを選定し、且つ、装着部は、誰でも容易に仏器の装着が可能な構造で、しかも、傾けても落下せず、容易にお供え可能な所定長さを有する事が重要である。
【実施例１】
【０００８】
そこで、この考案の一実施例を図１〜図４に基づいて詳述すると、仏壇にご飯を入れてお供えする仏器の差し具であって、該仏器差し具（１）は、所定長さ（Ｌ）を有する差し棒（１ａ）と、差し棒（１ａ）の先端部に仏器（Ｃ）を差し込み装着可能な装着部と、差し棒（１ａ）の末端部に設けた係止用紐等の通し穴（１ｃ）付取手部から成り、且つ、該装着部はほぼＵ字状の切り欠き部（１ｄ）と、切り欠き部（１ｄ）の左右先端表面部に仏器（Ｃ）の落下防止用ストッパー（１ｂ）（１ｂ）をそれぞれ固着して設け、且つ、使用時は、ご飯を入れた仏器（Ｃ）を差し棒（１ａ）の先端に設けたストッパー付切り欠き部（１ｄ）に装着してお供えする事を特徴とする落下防止付仏器差し具から構成される。
【０００９】
次に、この考案の材質・寸法形状について説明すると、まず材質は木製で、差し棒の寸法は板厚６ｍｍ×幅１７ｍｍ×全長４１８ｍｍで、差し棒先端部の仏器装着部の全幅は５０ｍｍで、切り欠き部（１ｄ）の左右先端表面部に設けた落下防止用ストッパー（１ｂ）は、外径がΦ４ｍｍで、突起長さが１７ｍｍに形成され、且つ、差し棒末端部は幅３０ｍｍのほぼ楕円状に形成して持ち易くし、中央部には紐等を通して係止する直径Φ７ｍｍの通し穴（１ｃ）を設けている。又、切り欠き部（１ｄ）の寸法形状及びストッパー（１ｂ）（１ｂ）との関係寸法は仏器（Ｃ）の寸法形状に適合する様に形成されている。
【００１０】
次に、この考案の使用方法について説明すると、図５に示す様に、ご飯の入った仏器（Ｃ）をお供えする時は、差し具先端部に設けたＵ字状の切り欠き部に仏器の首部（細長部）を装着し、仏器の大径部が左右のストッパー（１ｂ）（１ｂ）にそれぞれ密着する様に装着し、そして、できるだけ差し具の水平状態を維持しながら、差し具末端部を持ってゆっくりと仏壇（Ｈ）にお供えし、仏器（Ｃ）が安定して設置できたら、先端部をゆっくり下方に下げ、ストッパー（１ｂ）（１ｂ）がそれぞれ外れた事を確認したら、ゆっくり後方に引き抜いて終了する。
【産業上の利用可能性】
【００１１】
この考案の落下防止付仏器差し具は、仏器の装着が誰でも容易に出来、且つ、仏器差し具を傾けても落下せず、且つ、軽量で安価な為、多くの仏具販売市場に寄与する点で産業上の利用可能性を有する。
【図面の簡単な説明】
【００１２】
【図１】この考案の一実施例を示し、（Ａ）は平面図で、（Ｂ）は正面図である。
【図２】この考案の一実施例を示し、右側面図である。
【図３】この考案の一実施例を示し、図１（Ｂ）のａ−ａ矢視断面図である。
【図４】この考案の一実施例を示し、図１（Ｂ）のｂ−ｂ矢視断面図である。
【図５】この考案の使用例を示し、仏壇にご飯をお供え時の斜視図である。
【符号の説明】
【００１３】
１  仏器差し具
１ａ  差し棒
１ｂ  落下防止用ストッパー
１ｃ  通し穴
１ｄ  切り欠き部
Ｃ  仏器
Ｈ  仏壇
Ｌ  所定長さ
【図１】
0003124406.tif 000003
【図２】
0003124406.tif 000004
【図３】
0003124406.tif 000005
【図４】
0003124406.tif 000006
【図５】
0003124406.tif 000007
(57)【要約】【課題】傾斜角度の異なるスタンドを使用可能な斜立式ボード取上機のスタンド角度調整装置を提供する。【解決手段】斜立式ボード取上機の機台に載台１０と伸縮動力源２０を設け、伸縮動力源２０の伸縮端２１と載台１０を介して連接関係を構成する。伸縮動力源２０はシリンダーから構成されるが、これに限定されず伸縮機能を有する動力機構を使用可能である。前端位置に近い枢軸１１により載台１０を機台１０に装着し、伸縮動力源２０と載台１０の連接位置を後側に近づけることにより枢軸１１を中心に載台１０の後へ傾斜する角度を調整する。また載台１０の枢軸１１の配置位置は必ずしも前端であるとは限らず、後端に設定することも、シーソーのように中間に設定することも可能である。それに対し伸縮動力源２０は枢軸の位置に対応するように配置される。【選択図】図３
0003124494.tif 000002
【実用新案登録請求の範囲】
【請求項１】
斜立式ボード取上機の機台に載台と伸縮動力源を有し、伸縮動力源の伸縮端と載台を介して連接されていることを特徴とする斜立式ボード取上機のスタンド角度調整装置。
【請求項２】
伸縮動力源はシリンダーであることを特徴とする請求項１に記載の斜立式ボード取上機のスタンド角度調整装置。
【考案の詳細な説明】
【技術分野】
【０００１】
本考案は、斜立式ボード取上機のスタンド角度調整装置、詳しく言えば伸縮動力源によりスタンドの載台の傾斜角度を制御しスタンドの角度を調整する装置に関する。
【背景技術】
【０００２】
斜立式スタンドにより回路板を重ねて収集する方法はよくボード取上用に使われている。例えば本考案者の出願した中華民国実用新案公告第５３８８８２号の回路板取上アームは斜立式ボード取上方式の代表的な例である。その構造は図１と図２に示す通りである。
【考案の開示】
【考案が解決しようとする課題】
【０００３】
上述のような斜立式ボード取上方式は斜立式ボード取上機のアーム４０の取上げ角度（例えば３０°）を一定にするため、それに対応してスタンド３０ａの傾斜角度閘を設計しなければ使用できない。しかし各メーカの使用しているスタンド３０ａは傾斜角度閘が一致していないため、取上げ角度が異なる斜立式ボード取上機に適用することができない。つまり斜立式ボード取上機は取上げ角度に対応可能なスタンドしか使用できない。従って傾斜角度が３０°のスタンド以外の物が使用できないだけでなく製造工程の流れに支障をきたし資源を浪費するため、改善の余地がある。
【０００４】
したがって本考案の主な目的は取上げ角度に対応可能なスタンドしか使えないという先行技術の問題を解決することにより、傾斜角度の異なるスタンドを使用可能な斜立式ボード取上機のスタンド角度調整装置を提供することにある。
【課題を解決するための手段】
【０００５】
上述の目的を達成するために本考案の請求項に記載の斜立式ボード取上機のスタンド角度調整装置は、斜立式ボード取上機の機台に載台と伸縮動力源を設け、伸縮動力源の伸縮端と載台を介して連接関係を構成することを特徴とする。
【考案を実施するための最良の形態】
【０００６】
以下、本考案の実施例を図面に基づいて説明する。
図３、図４と図５に示すように本考案の実施例による斜立式ボード取上機のスタンド角度調整装置は斜立式ボード取上機の機台５０に載台１０と伸縮動力源２０を設け、伸縮動力源２０の伸縮端２１と載台１０を介して連接関係を構成する。本実施例では伸縮動力源２０はシリンダーから構成されるが、これに限定されずシリンダーの代わりに伸縮機能を有する動力機構を使用することも可能である。
【０００７】
本実施例は前端位置に近い枢軸１１により載台１０を機台１０に装着し、伸縮動力源２０と載台１０の連接位置を後側に近づけることにより枢軸１１を中心に載台１０の後へ傾斜する角度を調整する。例えばスタンド３０の傾斜角度竈が１５°、機台５０のアーム４０の取上げ角度が３０°である場合、図４に示すように伸縮動力源２０を下向きに収縮し、載台１０を１５°傾斜させる必要がある。これによりスタンド３０はアーム４０の工作角度閘、即ち１５°＋１５°＝３０°に対応することが可能である。かつその調整は非常に簡単である。
また載台１０の枢軸１１の配置位置は必ずしも前端であるとは限らず、後端に設定することも、シーソーのように中間に設定することも可能である。それに対し伸縮動力源２０は枢軸の位置に対応するように配置されるため詳しい説明を省く。
【０００８】
上述の構成により、スタンド３０を載台１０に据え、伸縮動力源２０の伸縮状態を変えることにより載台１０に傾斜角度を生成させれば、図５に示すようにボード取上機の角度に対しスタンド３０をボード取上機の取上げ角度に対応するように調整し、取上げ作動を執行することが可能である。またスタンドの傾斜角度とボード取上機の取上げ角度は互いに対応しないとしても、本考案の調整により互いに取り組んで使用することが可能である。従って、本考案により傾斜角度の異なるスタンドを使用することが可能となる。
【０００９】
上述したものをまとめてみると、本考案により掲示される構造は今まで考案されなかった。かつ所期の効果を達成可能であるため、実用新案登録請求の条件を満たすと考えられる。
また上述した図面と説明は本考案の好ましい一例に過ぎず、この技術を熟知している人が本考案の精神と範疇に基づき修飾または同等の変化を加えるのは本考案の請求範囲に属すべきである。
【図面の簡単な説明】
【００１０】
【図１】従来技術の構造を示す模式図（一）である。
【図２】従来技術の構造を示す模式図（二）である。
【図３】本考案の実施例による斜立式ボード取上機のスタンド角度調整装置の構造を示す模式図（一）である。
【図４】本考案の実施例による斜立式ボード取上機のスタンド角度調整装置の構造を示す模式図（二）である。
【図５】本考案の実施例による斜立式ボード取上機のスタンド角度調整装置の使用状態を示す模式図である。
【符号の説明】
【００１１】
１０  載台、１１  枢軸、２０  伸縮動力源、２１  伸縮端、３０  スタンド、４０  アーム、５０  機台
【図１】
0003124494.tif 000003
【図２】
0003124494.tif 000004
【図３】
0003124494.tif 000005
【図４】
0003124494.tif 000006
【図５】
0003124494.tif 000007
(57)【要約】      （修正有）【課題】本考案は、傘の先端を包む位の筒状の大きさのゴムで、そのゴムの先端を吸盤にして、床等に付く様にする。傘の先端に筒状のゴムを付け、床等に立つ様にする。【解決手段】筒状のゴムを傘の先端に付けて傘を立つ様にする。傘を立てる事により雨水を筒状のゴムの中に吸収させ、電車・お店の床等に雨水で床を濡らす事が無くなる事と、電車に乗り椅子に座った時、自分の前に傘を立てる事により、忘れる事が無くなる様にする。【選択図】図１
0003124133.tif 000002
【実用新案登録請求の範囲】
【請求項１】
筒状のゴムを傘の先端に付けて、傘を立つ様にする。傘を立てる事により雨水を筒状のゴムの中に吸収させ、電車・お店の床等に雨水で床を濡らす事が無くなる事と、電車に乗り椅子に座った時、自分の前に傘を立てる事により、忘れる事が無くなる携帯傘立てである。
【考案の詳細な説明】
【技術分野】
【０００１】  本考案は、傘の先端に付けて傘を立つ様にする携帯傘立てである。
【背景技術】
【０００２】  傘を立てる事が出来ない為、手擦り等に掛けてしまい忘れてしまう事がある。電車・お店の床等を雨水で濡らしてしまう。
【考案の開示】
【考案が解決しようとする課題】
【０００３】  筒状のゴムを傘の先端に付けて傘を立つ様にする。傘を立てる事により雨水を筒状のゴムの中に吸収させ、電車・お店の床等に雨水で床を濡らす事が無くなる事と、電車に乗り椅子に座った時、自分の前に傘を立てる事により、忘れる事が無くなる様にする。
【課題を解決するための手段】
【０００４】  本考案は、傘の先端を包む筒状の大きさのゴムで、そのゴムの先端を吸盤にして、床等に付く様にする。傘の先端に筒状のゴムを付け、床等に立つ様にする。
【考案の効果】
【０００５】  上述の様に、筒状のゴムを傘の先端に付けて傘を立てる。傘を立てる事により電車・お店の床等に雨水で床を濡らす事が無くなる事と、電車に乗り椅子に座った時、自分の前に傘を立てる事により、忘れる事が無くなる。
【考案の実施するための最良の形態】
【０００６】  傘の先端を包む位の筒状の大きさのゴムで、そのゴムの先端を吸盤にする。図１に示す。
【図面の簡単な説明】
【０００７】
【図１】  本考案の携帯傘立ての側面の断面図である。
【図２】  携帯傘立ての上面の断面図である。
【符号の説明】
【０００８】  １．筒状のゴム
２．スポンジ
【図１】
0003124133.tif 000003
【図２】
0003124133.tif 000004
【手続補正書】
【提出日】平成18年5月9日(2006.5.9)
【手続補正１】
【補正対象書類名】実用新案登録請求の範囲
【補正対象項目名】全文
【補正方法】変更
【補正の内容】
【実用新案登録請求の範囲】
【請求項１】
筒状のゴムで、嵌め合わせが出来る様に内側上部には、スリットを設け、その内側の内部の底面には、スポンジを入れ、筒状のゴムの底面には、吸盤になっている構造を有する携帯傘立て。
(57)【要約】【課題】  安全かつ低コストの笛付きやかんを提供する。【解決手段】  笛付きやかんにおいて、湯が沸騰した際、注ぎ口３に取り付けられる笛１を、おもり５を用いて自動で、またはレバー７を用いて手動で、横方向に移動させて外すことで、手が高温の蒸気に触れたり、飛沫が跳ねたりする危険を簡素な構造によって回避する。【選択図】図１−２
0003124131.tif 000002
【実用新案登録請求の範囲】
【請求項１】
湯が沸騰した際、笛が鳴ることでそれを知らせる笛付きやかんに関するもので、湯を注ぐ際にやかん本体を傾けると、おもりの作用で笛が自動的に注ぎ口に対して横方向に移動して外れる簡素な構造を持つ笛付きやかん。
【請求項２】
湯が沸騰した際、笛が鳴ることでそれを知らせる笛付きやかんに関するもので、湯を注ぐ際に自動的に笛が移動して外れることが好ましくない場合、レバーによって手動で笛を注ぎ口に対して横方向に移動させ、笛を注ぎ口から外す簡素な構造を持つ笛付きやかん。
【考案の詳細な説明】
【技術分野】
【０００１】  本考案は湯が沸騰した際、笛が鳴ることでそれを知らせる笛付きやかんに関するもので、特に注ぎ口に取り付ける笛の部分に関するものである。
【背景技術】
【０００２】  湯の沸騰を知らせる笛付きやかんは、注ぎ口に対して縦方向に笛が押し上げられる構造であるため、沸騰した蒸気の圧力で笛が外れずに笛を鳴らすためにバネを用いて押さえる構造を有し、湯を注ぐ際はこの笛を直接的に手動で移動させて外している。
【文献番号１】
実開平０６−０６６５２６
【０００３】  または、バネで押さえてあった笛をレバー等で間接的に移動させ、湯を注げるように外している。
【文献番号１】
実開昭５９−１２２８２０
【０００４】  バネを用いず、湯を注ぐ際に自動で笛が移動し、外れるようにした笛付きやかんの構造においては、おもりを用い、やかん本体を傾けた際に笛が移動する構造となっている。
【文献番号２】
実開昭５６−０９１５２２
【考案の開示】
【考案が解決しようとする課題】
【０００５】  解決しようとする問題点は、バネを用いて笛を押さえている一般的な構造のものは、注ぎ口に近い位置にある笛を手動で外すため、手が高温の蒸気に触れたり、飛沫が跳ねたりする危険があった。【０００６】  また、バネを用いて笛を押さえていても、レバー等で笛を移動させて外すものは、手に沸騰した蒸気が触れたり、高温の雫が跳ねたりする危険はないものの、構造が煩雑になり、高コストとなる問題があった。【０００７】  従来のバネを用いず、湯を注ぐ際に自動で笛が移動して外れる構造のものは、上記２点の問題はないが、注ぎ口に対して縦方向に笛が移動する構造のため、沸騰した蒸気の圧力に笛が押し上げられないように非常に重いおもりを付ける必要があり、利便性においてもコスト面においても、実用的ではなかった。
【課題を解決するための手段】
【０００８】  湯が沸騰した際、笛が鳴ることでそれを知らせる笛付きやかんに関するもので、湯を注ぐ際にやかん本体を傾けると、おもりの作用で笛が自動的に注ぎ口に対して横方向に移動して外れる簡素な構造を持つ笛付きやかん。【０００９】  湯が沸騰した際、笛が鳴ることでそれを知らせる笛付きやかんに関するもので、湯を注ぐ際に自動的に笛部分が移動して外れることが好ましくない場合、レバーによって手動で笛を注ぎ口に対して横方向に移動させ、笛を注ぎ口から外す簡素な構造を持つ笛付きやかん。
【考案の効果】
【００１０】  上記手段によって、笛付きやかんにおいて、注ぎ口に対して横方向に笛部分を移動させる構造を有することで、湯を注ぐ際に笛を安全に移動させて外すことが可能となり、また、簡素な構造により、部品数や製造工程数が削減でき、低コストでの製造が可能となる。
【考案を実施するための最良の形態】
【００１１】  おもり又はレバーと一体化させた笛を、やかんの注ぎ口の側面に回転軸を中心に異動するよう取り付ける。また、笛部分の注ぎ口に接する部分には円筒形の構造を設け、蒸気の漏れを防ぐと共に、笛部分が横方向に移動する際、注ぎ口に引っかからないようにする。
【実施例】
【００１２】  図１−１および図１−２は本考案の請求項１の実施例である。笛１が円筒部２およびおもり５と一体の部品として、注ぎ口３に軸４によって取り付けられる。湯を沸かす際は、おもり５によって笛１と円筒部２は所定の位置に付くことで注ぎ口３に密着し、沸騰すると、笛１によってこれを知らせる。湯９を注ぐ際に図１−２のようにやかん本体６を傾けても、おもり５によって笛１と円筒部２は位置を変えることがないため、結果的に笛１は横に移動する形となり、注ぎ口３から自動的に外れることとなる。【００１３】  図２−１および図２−２は本考案の請求項２の第１実施例である。笛１ａが円筒部２ａおよびレバー７ａと一体の部品として、注ぎ口３ａに軸４ａによって取り付けられる。湯を沸かす際は、図２−１にあるレバー７ａの位置にすることで、笛１ａと円筒部２ａは注ぎ口３ａに密着し、沸騰すると、笛１ａによってこれを知らせる。また、レバー７ａはストッパー８ａによって正確な位置に合うようになっている。湯９ａを注ぐ際は、図２−２にあるレバー７ａの位置に手動で移動させることで笛１ａを横に移動させ、注ぎ口３ａから外す。【００１４】  図３−１および図３−２は本考案の請求項２の第２実施例である。笛１ｂが円筒部２ｂおよびレバー７ｂと一体の部品として、注ぎ口３ｂに軸４ｂによって取り付けられる。湯を沸かす際は、図３−１にあるレバー７ｂの位置にすることで、笛１ｂと円筒部２ｂは注ぎ口３ｂに密着し、沸騰すると、笛１ｂによってこれを知らせる。また、レバー７ｂはストッパー８ｂによって正確な位置に合うようになっている。湯９ｂを注ぐ際は、図３−２にあるレバー７ｂの位置に手動で移動させることで笛１ｂを横に移動させ、注ぎ口３ｂから外す。なお、図２−１との相違点は、注ぎ口３ｂに取り付ける際の軸４ｂの位置であり、図２−１では注ぎ口３ａの側面であるが、図３−１では上部となる。従来の笛付きやかんでは構造上、上部に穴を開けて笛を取り付けている例が多く、図３−１のようにすることで、従来の製造ラインで製作されたやかん本体６ｂをそのまま転用することが可能となり、製造コストの抑制につながる。
【図面の簡単な説明】
【００１５】
【図１−１】  本考案の請求項１における実施例を示した側面図である。
【図１−２】  本考案の請求項１における実施例の作用を示した側面図である。
【図２−１】  本考案の請求項２における第１実施例を示した側面図である。
【図２−２】  本考案の請求項２における第１実施例の作用を示した側面図である。
【図３−１】  本考案の請求項２における第２実施例を示した斜視図である。
【図３−２】  本考案の請求項２における第２実施例の作用を示した斜視図である。
【符号の説明】
【００１６】  １  笛
２  円筒部
３  注ぎ口
４  軸
５  おもり
６  本体
７  レバー
８  ストッパー
９  湯
【図１−１】
0003124131.tif 000003
【図１−２】
0003124131.tif 000004
【図２−１】
0003124131.tif 000005
【図２−２】
0003124131.tif 000006
【図３−１】
0003124131.tif 000007
【図３−２】
0003124131.tif 000008
(57)【要約】      （修正有）【課題】薄地カーテンでは、室内のプライバシーは保護できない為に、別に２枚目のドレープカーテンを必要とする。本考案のカーテンは、１枚で室内のプライバシーの１部分を保護することが可能となる２種類の機能性を持つカーテン地を提供する。【解決手段】同一生地で薄地カーテン部分Ａとドレープカーテン部分Ｂを持つように製織する。経糸は７５Ｄ（８４Ｔ）〜１５０Ｄ（１６７Ｔ）を、緯糸にはＡの部分に７５Ｄ（８４Ｔ）〜１５０Ｄ（１６７Ｔ）を、Ｂの部分には１００Ｄ（１１０Ｔ）〜６００Ｄ（６６０Ｔ）を使用して、仕上げ密度を経密度４５本／インチ〜７５本／インチに、緯糸の仕上げ緯密度はＡの部分は、４５本／インチ〜７５本／インチに、Ｂの部分は３０本／インチ〜９０本／インチに仕上げるカーテン地である。【選択図】図１
0003124138.tif 000002
【実用新案登録請求の範囲】
【請求項１】
同一の生地の中で光を透過する部分と、遮光性の有る部分の２種類の機能性を持つカーテンである。
【請求項２】
織物の経糸を７５D（８４T）〜１５０D（１６７T）の糸種で織り、仕上げ経密度を４５本/インチ〜７５本/インチに、光を透過する部分の緯糸には７５D（８４T）〜１５０D（１６７T）の糸種を織り、遮光性のある部分には、糸種１００D（１１０T）〜６００D（６６０T）の糸種を製織して、仕上げ緯密度を４５本/インチ〜７５本/インチに仕上げた２種類の機能性を持つカーテンである。
【考案の詳細な説明】
【技術分野】
【０００１】
本考案は、織物を製織する時に同一生地内で光を透過するように製織した部分と遮光性の有るように製織した部分を同一生地内で製織する。
【背景技術】
【０００２】
従来のカーテンには、光を取り入れる事を主目的にした薄地ケースメントカーテン、光を遮断しようとするためのドレープカーテン、遮光カーテンがあり、それぞれ別の機能を持つカーテンである。
一般的な使用方法としては、窓の内側に光を透過する薄地カーテンを、その内側に重ねて光を遮断するドレープカーテンや、遮光カーテンを使用する。薄地のカーテンを単独に使用する場合には、室外より室内が見える事があり、プライバシーを守れない場合があつた。
【考案の開示】
【考案が解決しようとする課題】
【０００３】
薄地カーテンを使用して室内に光を入れたくても、プライバシーが守れない事があり、１枚のカーテン生地で室内に光を入れ、室内の一部分のプライバシーを守れる事が可能となる織物生地を作る。
【課題を解決するための手段】
【０００４】
本考案は、カーテン地を製織する時に、薄地カーテンの織物設計の経糸規格に、緯糸の規格をある部分で替える事で光を透過する部分と光を遮断する部分を作るように製織する。
経糸を７５D（８４T）〜１５０D(１６７T)の糸種を使用して、仕上げ経密度を４５本/インチ〜７５本/インチに規格設計する。
緯糸には光を透過する部分（A）に７５D（８４T）〜１５０D(１６７T)の糸種を使用する、遮光性のある部分（B）には、１００D(１１０T)〜６００D(６６０T)の糸種を使用し、（A）部分の仕上げ緯密度を４５本/インチ〜７５本/インチに仕上げ、（B）の部分の仕上げ緯密度３０本/インチ〜９０本/インチに仕上げたカーテンである。
【考案の効果】
【０００５】
１枚のカーテンで光を透過する薄地カーテン部分と光を遮る遮光性のあるカーテン部分を付与する場合には、２つの機能性の違うカーテン地を裁断して２種類を縫い合わせて作る事になり、カーテン地が2枚必要とする、また縫い目が見える事も良くない。この方法でカーテンを製作すると手間がかかる、コストが高くなる、形状が良くないなどの問題が発生する。
本考案で製作されたカーテンは、簡単に縫製され、コストも低く、形状も美しくできるカーテンである。
【図面の簡単な説明】
【０００６】
【図１】本考案実施の織物構造図
【符号の説明】
【０００７】
図のAの部分は、光を透過する機能を持つように製織した部分、Bの部分は、光を遮断し遮光性を持つように製織した部分である。
【図１】
0003124138.tif 000003
【手続補正書】
【提出日】平成18年5月9日(2006.5.9)
【手続補正１】
【補正対象書類名】実用新案登録請求の範囲
【補正対象項目名】全文
【補正方法】変更
【補正の内容】
【実用新案登録請求の範囲】
【請求項１】
平織組織の薄地カーテン地で、経糸を75D（84T）〜150D(167T)の糸種を使い、（A）の部分の緯糸には経糸と同じ太さか、75D以下の太さの糸種を織り込む、（B）の部分の緯糸には、使用経糸の太さ以上の糸種100D(110T)〜600D（660T）を織り込み、（A）の部分の仕上げ緯密度を４５本/インチ〜75本/インチに（B）の部分の仕上げ緯密度を30本/インチ〜90本/インチに仕上げる事により（A）の部分を光が透過するように、（B）の部分は遮光性のあるように製織したカーテン。
【請求項２】
薄地カーテン地で、経糸を75D（84T）〜150D(167T)の糸種を使い、（A）の部分の緯糸には経糸と同じ太さか、75D以下の太さの糸種にて平織組織で込む、（B）の部分の緯糸には、使用経糸の太さ以上の糸種100D(110T)〜600D（660T）で織組織を緯二重組織にて製織する、（A）の部分の仕上げ緯密度を４５本/インチ〜75本/インチに（B）の部分の仕上げ緯密度を30本/インチ〜90本/インチに仕上げる事により（A）の部分を光が透過するように、（B）の部分に遮光性のあるように製織したカーテン。
(57)【要約】      （修正有）【課題】イタチ、ネズミ等の有害動物を簡単に捕獲する事。【解決手段】捕獲器本体を主筒部、及び主体部に被さる上カバー、並びに水を充満させた下箱とで筒状に形成し、この主筒部に設けられたネズミ等の有害動物が侵入する入口と更にこの入口の側部に絶縁ホルダーを介して架設された電流線とでなす事によって、ネズミ等の有害動物を簡単に捕獲する事が出来るネズミ等の有害動物の捕獲器。【選択図】図１
0003124136.tif 000002
【実用新案登録請求の範囲】
【請求項１】
主筒部、及び主体部に被さる上カバー、並びに水を充満させた下箱とで筒状に形成された捕獲器本体と、此の主筒部に設けられたネズミ等の有害動物が侵入する入り口と更にこの入口の側部に絶縁ホルダーを介して架設された電流線とでなした事を特徴とする、ネズミ等の有害動物の捕獲器。
【考案の詳細な説明】
【技術分野】
【０００１】本考案はイタチ、ネズミ等の有害動物を捕獲して殺傷させる物に関する。
【背景技術】
【０００２】    イタチ、ネズミ等の自然生活の中で目的の捕獲方法は出来ない。
理由は過去に危険を体験して居ると、ネズミは美味な匂いのエサが有っても見向きせず避けて通る、寅挟み、金網籠も無駄になるし、最近の粘着剤の物も最初だけで仲間は見ているし避けるか飛び越えるとの事です。
【解決しようとする課題】
本考案はイタチ、ネズミ等の動物の捕獲を連鎖的に進めるには、動物の日常生活の中で瞬間的に死傷させる事故でなくては至難です。
今回試作器で捕獲した際にエサ、食事に夢中の時、静かに傍に寄っても逃げないが、急に音を立てるとパニックになり側に出口も忘れてその場に蹲り不安が去ると元の生活に帰りました。
ネズミが予期せず突発的に事故、転落死、落雷の事故に似た様に進め事が目的の連鎖的捕獲が可能である事が出来たのです。
【課題に解決す手段】
ネズミの生活状況からネズミ自体が予測出来ない事故に遭わせる事が一番なでの瞬間的、突然の事故は仲間に知らせる術が無いから連鎖的な捕獲が可能である事が判ったのです。
【考案の実施状況】
本考案はネズミ等の動物が餌の匂いに誘われて捕獲器の入口から入れば入口には出られない様な仕掛けがあり進む以外に無いのです。
そこからはエサに飛びつきやすい様にしてあるから気楽にエサに飛び付けるが、前足だけがイノチの綱で宙吊りの状態では不安定で食事どころではない、安定を求めて下に降りれば地獄の入り口、感電して軽くてもパニックは避けられないで水槽の中え落ちて溺れ死ぬ事になります。
夏場は良いが暫く泳いで疲れきって死ぬ事になります。安楽死なら感電死が良いが其れは運次第です、此れで目的の捕獲となります。
【考案の実施する為の形態】
以下本考案を実施例の図面において説明する。
図１は捕獲器の全体を示す断面図で捕獲器本体１は筒状に形成されている。
具体的には主筒部２と、この主体部の上に抜き去る、上カバーと下部に埋め込まれる下部箱４とで成して居る。
又、主筒部２にはネズミ等の有害動物が侵入する入口５を設けており、入口５には出る事の出来ない様に１２が設置されて１３のストッパーで出る方向には開けられないように１４が５に固定されている。
主筒部の入口でネズミはエサの有る方意外には動け無いから自然エサの方に行くことになる、又、エサの方には行きや安さと、エサに飛び付きやすく５の上が開いて居るので飛び付けば前足だけでの宙吊りで不安定で食事所ではない、
安定を求めて下に降りる場所は、６の電流線で、運良くマイナスの上だけなら、不安定でパニックになるが感電死は避けられる、
水槽Ｈに落ちて溺死か、自然６の二本に頼れば途端に感電死するか
水槽４に落ちるかですが、安楽死なら感電死が良いだろうが、さてネズミの運は？
【図面の簡単な説明】
【図１】捕獲器の断面正面図
【図２】同上の断面平面図
【符号の説明】
１    主体部
２    主筒部
３    上カバー
４    下箱
５    入口
６    電流線
７    プラグ
８    ソケット
９    パッキン
１０  エサ吊り
１１  エサ吊止めネジ
１２  蝶板
１３  ストッパーネジ
１４  蝶板固定パイプ
【図１】
0003124136.tif 000003
【図２】
0003124136.tif 000004
(57)【要約】【課題】壁面に取り付ける電源コンセントにおいて、差込んだ電源プラグが壁面の外側に出っ張ることがなく、家具をその電源コンセントの前に置く場合においても、壁面に密着配置できるようにする。【解決手段】従来の電源コンセント１の電源プラグ差込口２が壁面３の内側になるように、差込口の前に囲い構造物６を設け、壁面埋め込み型電源コンセント７とし、その電源コンセントに差込んだ電源プラグ４が、壁面３より出っ張らないようにした。また、この壁面埋め込み型電源コンセント７不使用時に、内部にごみがたまらないようにするためと、部屋の美観を損ねないようにするために、この電源コンセント７の開口部を覆うことのできる蓋８を設け、これを開閉できるようにした。【選択図】図６
0003124134.tif 000002
【実用新案登録請求の範囲】
【請求項１】
電源コンセントの電源プラグ差込口が、壁面より内側になるように、差込口の前に囲い構造物を設け、壁面埋め込み型とし、電源コンセントに差込んだ電源プラグが、壁面より外側に出っ張らない様にした電源コンセント
【請求項２】
上記の電源プラグ差し込み口が、壁面より内側になるように、差込口の前に囲い構造物を設けた壁面埋め込み型の電源コンセントにおいて、電源コンセントとしての使用時は、開くかまたは、取り外すことが出来き、不使用時には、内部にごみが入ることを防止し、かつ美観を損なわないようにするために囲い構造物の開口部分を覆う蓋を設けた電源コンセント
【考案の詳細な説明】
【考案が解決しようとする課題】
【０００１】従来の電源コンセントは、図２のように電源プラグ差込口が壁面と同一面になっている。そのため、電源プラグを差込むと図３のように電源プラグが壁面から外側に出っ張り、その前に家具を置くと壁面と家具の間に大きな隙間ができ、家具を壁面に密着配置できず、家具の効率良い配置上問題があった。
また、人が出っ張った電源プラグに引っ掛る危険があるとか、部屋の美観を損なう問題もあった。
【課題を解決するための手段】
【０００２】電源コネクターの差込口に電源プラグを差し込んだ状態で、その電源プラグが壁面から外側に出っ張ることの無いように、電源コネクターの電源プラグ差込口が壁面より内側になるように、図４のように電源コンセントの差込口の前に囲い構造物を設け、それ全体を図５のように壁面に埋め込むようにした。また、その電源コンセントが使われていない時、差込口の前の部分にごみがたまらないように、さらに部屋の美観を損なわないように、図９のように、囲い構造物の開口部を覆うことのできる蓋を儲け、閉められるようにした。
もちろん、この蓋は、電源コンセントを使用する時は、開くかまたは取り外すことができる。
図４の囲い構造物は、４枚の四角い板を組み合わせた四角い枠のような構造物であり、図７、図８の囲い構造物は、２枚の三角板と１個の四角い板を組み合わせたものである。このように、囲い構造物の形状は、電源プラグ差込口が、壁面の十分内側に保て、差込んだ電源プラグが壁面の外側に出ない構造であれば、どんな構造・形状でもかまわない。
また、電源プラグ差込口の壁面との位置関係についても、差込んだ電源プラグが、壁面の外側に飛び出さなければ、壁面の内側のどの位置につけてもかまわない。図５は、差込口の面は、壁面と平行で前向きの例である。図７は垂直右向きの例、図８は垂直上側の例である。
【考案の効果】
【０００３】本考案の電源コネクターに電源プラグを差込んでも、電源プラグが壁面の外側に出っ張らず、外側に出るのは図６に示すように電源コードのみとなるため、電源コンセントの位置を気にすることなく、家具を壁面に密着配置することができる。
また、人が電源プラグに引っかかる危険も回避できる。さらに、蓋付きの場合は、電源コンセントを使用していない時に、コンセントの中にごみがたまることを防止でき、かつ壁面の開口部を隠すことができるので部屋の美観を保つことができる。
【図面の簡単な説明】
【０００４】
【図１】従来の電源コンセントの例を示す図である。
【図２】従来の電源コンセントが壁面に取り付けられた例を示す図である。
【図３】従来の壁面に取り付けられた電源コンセントに電源プラグが差込まれている例を示す図である。
【図４】電源コンセントの電源プラグ差込口を、壁面の内側にするために、電源コンセントの電源プラグ差込口の前に、囲い構造物を取り付けた電源コンセントを示す図である。
【図５】図４の四角い枠状の囲う構造物を取り付けた電源コネクターを壁面に取り付けた状態を示す図である。
【図６】図５に電源プラグを差込み、壁面の外側に電源コードのみが出ていることを示す図である。
【図７】二枚の三角板と一枚の四角い板を組み合わせた囲い構造物を用い、電源プラグ差込口の面が壁面と垂直で右向きの本考案の電源コンセントの例を示す図である。
【図８】図７と同様、二枚の三角板と一枚の四角い板を組み合わせた囲い構造物を用いた本考案の電源コンセントの例で、この場合は、電源プラグ差込口の面は、壁面と垂直で上向きである。
【図９】図４の電源コンセントにさらに囲い構造物の開口部を覆う蓋を付けた本考案の電源コンセントが壁面に取り付けられた状態を示す図である。
【符号の説明】
【０００５】１  従来の電源コンセントの一例
２  電源プラグ差し込み口
３  壁面
４  電源プラグ
５  電源コード
６  囲い構造物
７  壁面埋め込み型電源コンセント
８  蓋
９  壁面埋め込み型蓋付き電源コンセント
【図１】
0003124134.tif 000003
【図２】
0003124134.tif 000004
【図３】
0003124134.tif 000005
【図４】
0003124134.tif 000006
【図５】
0003124134.tif 000007
【図６】
0003124134.tif 000008
【図７】
0003124134.tif 000009
【図８】
0003124134.tif 000010
【図９】
0003124134.tif 000011
【手続補正書】
【提出日】平成18年5月9日(2006.5.9)
【手続補正１】
【補正対象書類名】実用新案登録請求の範囲
【補正対象項目名】全文
【補正方法】変更
【補正の内容】
【実用新案登録請求の範囲】
【請求項１】
電源コンセントの電源プラグ差込口が、壁面より内側になるように、差込口の前に囲い構造物を設け、壁面埋め込み型とし、電源コンセントに差込んだ電源プラグが、壁面より外側に出っ張らない様にした電源コンセント
【請求項２】
電源コンセントとして不使用時には内部にごみが入ることを防止し、かつ美観を損なわないように囲い構造物の開口部分を覆う蓋を設け、電源コンセントとして使用時は、その蓋を開けるかまたは、取り外すことができるようにしたことを特徴とする請求項１記載の電源コンセント
(57)【要約】【課題】  チョコレートのパッケージの取り出し口を異なる２つにして、チョコレートの状態に合わせて取り出し口を使い分ける。【解決手段】  チョコレートのパッケージの取り出し口を固形で取り出す口、チョコレートを溶かしてペースト状にして取り出す口の２つにしてチョコレートの状態に合わせて異なる２通りの取り出し方を使い分けることにより、課題を解決している。【選択図】図２
0003124125.tif 000002
【実用新案登録請求の範囲】
【請求項１】
中のチョコレートを２通りの方法で取り出すことができるパッケージ。
固形のチョコレートを食べる時は側部や底部から封を切り、取り出す。
チョコレートを溶かしペースト状にし、食べる場合は先端のチューブ口を切り、ひねり出すことができる。
【考案の詳細な説明】
【技術分野】
【０００１】  本考案は、２通りの取り出し方ができるチョコレートのパッケージに関するものである。
【背景技術】
【０００２】  今までのチョコレートのパッケージは１つの取り出し方法しかできなかった。
【考案の開示】
【考案が解決しようとする課題】
【０００３】  チョコレートのパッケージの取り出し口を異なる２つにして、チョコレートの状態に合わせて取り出し口を使い分けることで前途の欠点を解決しようとするものである。
【課題を解決するための手段】
【０００４】  本考案は、チョコレートのパッケージの取り出し口を固形で取り出す口、チョコレートを溶かしてペースト状にして取り出す口の２つにしてチョコレートの状態に合わせて異なる２通りの取り出し方を使い分けることにより、課題を解決している。
【考案の効果】
【０００５】  上述の様に、本考案のチョコレートのパッケージはチョコレートの状態に合わせて２通りの取り出し方ができる。
【考案の実施するための最良の形態】
【０００６】  固形のチョコレートを食べる時は側部や底部から封を切り、取り出せるようにし、チョコレートを溶かしペースト状にし、食べる場合は先端のチューブ口を切り、ひねり出すことができるようなパッケージにする。
【実施例】
【０００７】  以下、添付図面に従って一実施例を説明する。１はチョコレートを固形で取り出す口。２はチョコレートを溶かしてペースト状にして取り出す口である。チョコレートの状態によりこの異なる２つの取り出し口を使い分ける。
【図面の簡単な説明】
【０００８】
【図１】  本考案のチョコレートのパッケージのチョコレートを固形で取り出す口の一実施例を示す図である。
【図２】  本考案のチョコレートのパッケージのチョコレートを溶かしてペースト状にして取り出す口の一実施例を示す図である。
【符号の説明】
【０００９】  １  固形のチョコレート
２  固形での取り出し口の側部
３  ペースト状のチョコレート
４  ペースト状のチョコレートでの取り出し口の先端部
５  チョコレートのパッケージ
【図１】
0003124125.tif 000003
【図２】
0003124125.tif 000004
【手続補正書】
【提出日】平成18年3月30日(2006.3.30)
【手続補正１】
【補正対象書類名】実用新案登録請求の範囲
【補正対象項目名】全文
【補正方法】変更
【補正の内容】
【実用新案登録請求の範囲】
【請求項１】
中のチョコレートを固形で取り出す口とペースト状で取り出す口の２つの取り出し口のあるチョコレートのパッケージ。